(57)【要約】【課題】キャスターの修理時等にベースを医療機器ごと倒す必要がなく、角部の破損時にベース全体を交換する必要のない医療機器のベース構造を提供する。【解決手段】ベース３の通常使用状態のまま、キャスター１８の取付部を外部へ露出した状態にすることができるため、ベース３を医療機器１ごと倒したりする必要がなく、そのままの状態でキャスター１８の修理時等が行える。カバー１５が破損しても、交換するのはカバー１５だけで済み、ベース３全体を交換する必要がない。【選択図】        図６
2016202599.tif 000002
【特許請求の範囲】
【請求項１】
中心部から放射方向に突出した複数の角部を有する概略多角形状に構成され、該角部にフロアに対するキャスターが取付けられた医療機器のベース構造であって、
前記角部に上方及び放射方向に開放した凹部を形成し、該凹部の底部にキャスターを取付けたことを特徴とする医療機器のベース構造。
【請求項２】
凹部に取外し自在なカバーが取付けられ、該カバーにより角部における放射方向最遠の側面部が形成されることを特徴とする請求項１記載の医療機器のベース構造。
【請求項３】
凹部の底部に放射方向へ開放した切欠部が形成され、キャスターの垂直軸受が該切欠部に水平に挿入された状態で取付けられていることを特徴とする請求項１又は請求項２記載の医療機器のベース構造。
【発明の詳細な説明】
【技術分野】
【０００１】
本発明は医療機器のベース構造に関するものである。
【背景技術】
【０００２】
医療機器の下部に位置するベースは医療機器を立てた状態に保持すると共に、医療機器をフロアに対して移動・固定させる機能が求められる。そのためベースにはキャスターが設けられている。ベースは安定した四点支持或いは多点支持のために概略多角形状をしており、放射方向に突出した角部にキャスターが取付けられている。
【０００３】
ベースは下側が開放された形状の逆容器形状をしており、キャスターは角部の内部に下側から取付けられる。車輪はベースの下側から一部が出た状態となりフロアに対して転がることができる。またベースには下向きに突出してフロアに対してベースをロックするクランプ機構も設けられている（例えば、特許文献１参照）。
【先行技術文献】
【特許文献】
【０００４】
【特許文献１】特開２００９−１２６００号公報
【発明の概要】
【発明が解決しようとする課題】
【０００５】
しかしながら、このような関連技術にあっては、キャスターがベースの角部に下側から取付けられているため、キャスターが故障した際に、キャスターを修理したり交換したりするために、ベースを医療機器ごと倒す必要があり大変である。
【０００６】
またベースは突出する複数の角部を有するため、ベースの搬送時や移動時に角部が建物の壁などに衝突して破損することがある。そのような場合に破損したのは角部だけであるが一体物なのでベース全体を交換しなければならずコスト的に不利である。
【０００７】
本発明は、このような関連技術に着目してなされたものであり、キャスターの修理時等にベースを医療機器ごと倒す必要がなく、角部の破損時にベース全体を交換する必要のない医療機器のベース構造を提供することを目的としている。
【課題を解決するための手段】
【０００８】
本発明の第１の側面によれば、中心部から放射方向に突出した複数の角部を有する概略多角形状に構成され、該角部にフロアに対するキャスターが取付けられた医療機器のベース構造であって、前記角部に上方及び放射方向に開放した凹部を形成し、該凹部の底部にキャスターを取付けたことを特徴とする。
【０００９】
本発明の第２の側面によれば、凹部に取外し自在なカバーが取付けられ、該カバーにより角部における放射方向最遠の側面部が形成されることを特徴とする。
【００１０】
本発明の第３の側面によれば、凹部の底部に放射方向へ開放した切欠部が形成され、キャスターの垂直軸受が該切欠部に水平に挿入された状態で取付けられていることを特徴とする。
【発明の効果】
【００１１】
本発明によれば、キャスターがベースの角部に形成された凹部の底部が取付けられるため、ベースの通常使用状態のまま、キャスターの取付部を外部へ露出した状態にすることができる。そのためベースを医療機器ごと倒したりする必要がなく、そのままの状態でキャスターの修理時等が行える。
【００１２】
また、ベースにおける放射方向での最遠部がカバーの側面部であるため、ベースの角部が建物の壁などと衝突する場合、カバーの側面部が衝突する。そのため万一カバーが破損しても、交換するのはカバーだけで済み、ベース全体を交換する必要がない。
【００１３】
さらに、凹部の底部に切欠部が形成され、そこにキャスターの垂直軸受が水平に挿入された状態で取付けられるため、キャスターの交換が容易である。
【図面の簡単な説明】
【００１４】
【図１】ベースに支持された医療機器を示す全体斜視図。
【図２】ベースを示す全体斜視図。
【図３】カバーを外した状態を示す角部の斜視図。
【図４】キャスターを外した状態を示す角部の斜視図。
【図５】キャスターを示す分解斜視図。
【図６】角部を示す断面図。
【図７】カバー及びキャスターを外した状態の角部の断面図。
【図８】キャスターの取付状態を示す概念図。
【発明を実施するための形態】
【００１５】
図１〜図８は本発明の好適な実施形態を示す図である。
【００１６】
医療機器としてのスタンド装置１は手術顕微鏡２を支持するためのものである。スタンド装置１の下部にはベース３が設けられている。ベース３は概略四角形状で、スタンド装置１が固定される中心部４から放射方向（外方水平方向）へ突出する４つの角部５を有する。ベース３の側面には足踏み用のペダル６が設けられている。
【００１７】
ベース３は金属鋳物製で下側が開放した逆容器形状をしている。ベース３の角部５には外方（上方及び放射方向）に開放した凹部７が形成されている。凹部７は水平な底部８と湾曲状の側面図９から構成されている。側面図９の一部には開口１０が形成されている。開口１０からはペダル６を足踏みすることにより回転する回転軸１１が臨まされている。
【００１８】
底部８には中心からの放射方向へ開放した切欠部１２が形成されている。切欠部１２の周囲には３つの円孔１３が形成されている。切欠部１２の開放側両端には２つの小孔１４が形成されている。
【００１９】
凹部７はベース３と連続した表面形状を有するカバー１５により覆われる。カバー１５の内面にはリブ１６が形成され、該リブ１６にはネジ孔１７が形成されている。カバー１５の側面部２９はベース３において中心からの放射方向において最遠位置となる。
【００２０】
キャスター１８は双輪タイプで、車輪の回転軸が垂直軸受１９からオフセットしており、垂直軸受１９を中心に向きを変えることができる。キャスター１８の垂直軸受１９には開口１０から突出した回転軸１１からの回転力が伝達されて、双輪の車輪の回転とロックを切り替えることができる。回転軸１１の回転方向と回転力はベース３の側面のペダル６から与えられる。
【００２１】
垂直軸受１９には固定フランジ２０と可動フランジ２１が設けられている。固定フランジ２０はピン２２（図５）により垂直軸受１９の外筒に固定され一体化されている。可動フランジ２１は固定フランジ２０の下にあり、可動フランジ２１の上面には弾性を有する振動吸収シート２３が貼着されている。
【００２２】
固定フランジ２０及び振動吸収シート２３にはそれぞれ３つの円孔２４、２５が形成されている。この円孔２４、２５は凹部７の底部８に形成された円孔１３と位置が合致している。可動フランジ２１にはその円孔１３、２４、２５に対応する３つのネジ孔２６が形成されている。
【００２３】
キャスター１８の取付け方としては、カバー１５を取り外して露出状態となった凹部７の切欠部１２に対して垂直軸受１９を水平に挿入する。固定フランジ２０と振動吸収シート２３との間で凹部７の底部８を挟んだ状態にする。この作業の間、対応する角部５はジャッキ等により一定高さに保持しておく。
【００２４】
円孔１３、２４、２５とネジ孔２６の位置を合わせ、上から長尺のネジ２７を挿入して先端のネジ部をネジ孔２６に螺合させる。これにより可動フランジ２１及び振動吸収シート２３が、ネジ２７を介して固定フランジ２０に吊り下げられた状態となる。この作業後にジャッキ等を外す。
【００２５】
最後にカバー１５を凹部７に被せ、凹部７の底部８に形成された小孔１４へ短尺のネジ２８（図６）を下から挿入し、その先端をカバー１５のネジ孔１７へ螺合させる。これによりカバー１５の取付けが完了する。
【００２６】
ベース３（底部８）は振動吸収シート２３を介して可動フランジ２１の上に乗った状態となり、その可動フランジ２１がネジ２７を介して固定フランジ２０に吊られた状態なるため、ベース３はキャスター１８の固定フランジ２０に吊られた状態となる。ベース３は振動吸収シート２３の上に乗っているためフロアの振動がキャスター１８を介してベース３及びスタンド装置１に伝わらない。
【００２７】
更にベース３は吊られた状態でキャスター１８の固定フランジ２０の位置よりも下の位置に支持されているため、吊り下げた分だけベース３の高さ位置を低く抑えることができ、スタンド装置１を安定した状態で支えることができる。
【００２８】
スタンド装置１の搬送や移動で、角部５が壁に衝突しても衝突するのはカバー１５の側面部２９となる。カバー１５の側面部２９が破損しても、交換するのはカバー１５だけで済み、ベース３全体を交換する必要がない。
【００２９】
またキャスター１８が故障した場合にも、カバー１５を外せばキャスター１８の取付部が露出するため、キャスター１８を修理や交換する際に、その角部５をジャッキアップすれば、容易にキャスター１８の修理や交換が行える。すなわちベース３をスタンド装置１ごと倒したりする必要がない。
【００３０】
しかも、凹部７の底部８には切欠部１２が形成され、そこにキャスター１８の垂直軸受１９が水平に挿入された状態で取付けられるため、ネジ２７を外せばキャスター１８を容易に水平方向に引き出すことができ、キャスター１８の交換作業が容易である。
【００３１】
以上の説明では、ベース３として放射方向（外方）に突出した４つの角部５を有する概略四角形を例にしたが、これに限定されず概略三角形、概略五角形、その他の多角形でも良い。あるいは円形のベースに複数の突出した角部を有する形状でも良い。
【符号の説明】
【００３２】
１  スタンド装置（医療機器）
３  ベース
５  角部
７  凹部
８  底部
１２  切欠部
１５  カバー
１８  キャスター
１９  垂直軸受
２９  カバーの側面図
【図１】
2016202599.tif 000003
【図２】
2016202599.tif 000004
【図３】
2016202599.tif 000005
【図４】
2016202599.tif 000006
【図５】
2016202599.tif 000007
【図６】
2016202599.tif 000008
【図７】
2016202599.tif 000009
【図８】
2016202599.tif 000010